(57)【要約】【課題】重複を生じさせることなく、複数のフィールド機器管理装置に定められているフィールド機器のコンフィギュレーション情報を統合する。【解決手段】統合機器管理システム（ＭＮＧ）１００を機器管理システム１−１と１−２との通信ライン５に接続する。統合機器管理システム（ＭＮＧ）１００は、コンフィギュレーション情報統合機能を有し、機器管理システム１−１に定められているフィールド機器７（７−１，７−２）のコンフィギュレーション情報を最初の統合コンフィギュレーション情報とし、この統合コンフィギュレーション情報に、機器管理システム１−２に定められているフィールド機器７（７−１，７−３，７−４）のコンフィギュレーション情報のうちその通信プロトコル、デバイスパス、デバイスタグの定義情報が一致しないコンフィギュレーション情報のみを追加する。【選択図】  図１
2014137794.tif 000002
【特許請求の範囲】
【請求項１】
第１〜第Ｎ（Ｎ≧２）のフィールド機器管理装置に定められているフィールド機器の機器毎の通信に必要な定義情報を含むコンフィギュレーション情報を統合するコンフィギュレーション情報統合手段を備えたフィールド機器管理装置であって、
前記コンフィギュレーション情報統合手段は、
前記コンフィギュレーション情報に含まれる所定のコンフィギュレーション項目の定義情報によってそのコンフィギュレーション情報が定められているフィールド機器を特定し、同じフィールド機器のコンフィギュレーション情報の重複を排除したうえで、前記第１〜第Ｎ（Ｎ≧２）のフィールド機器管理装置に定められているフィールド機器のコンフィギュレーション情報を統合する
ことを特徴とするフィールド機器管理装置。
【請求項２】
請求項１に記載されたフィールド機器管理装置において、
前記コンフィギュレーション情報統合手段は、
前記コンフィギュレーション情報に含まれる通信プロトコル、デバイスパス、デバイスタグの定義情報によってそのコンフィギュレーション情報が定められているフィールド機器を特定する
ことを特徴とするフィールド機器管理装置。
【請求項３】
請求項２に記載されたフィールド機器管理装置において、
前記コンフィギュレーション情報統合手段は、
前記第１のフィールド機器管理装置に定められているフィールド機器のコンフィギュレーション情報を統合コンフィギュレーション情報とし、この統合コンフィギュレーション情報に統合しようとする他のフィールド機器管理装置のコンフィギュレーション情報のうちその通信プロトコル、デバイスパス、デバイスタグの定義情報が一致しないコンフィギュレーション情報のみを追加する
ことを特徴とするフィールド機器管理装置。
【請求項４】
請求項１〜３の何れか１項に記載されたフィールド機器管理装置において、
前記コンフィギュレーション情報統合手段は、
前記第１〜第Ｎのフィールド機器管理装置に定められているフィールド機器のコンフィギュレーション情報の統合と合わせて過去に収集されたフィールド機器のデータも統合する
ことを特徴とするフィールド機器管理装置。
【発明の詳細な説明】
【技術分野】
【０００１】
この発明は、フィールド機器を管理するフィールド機器管理装置に関するものである。
【背景技術】
【０００２】
従来より、化学プラント等においては、その流量プロセスに用いられるバルブ（調節弁）に対してポジショナを設け、このポジショナによってバルブの弁開度を制御するようにしている。このポジショナなどの機器はフィールド機器と呼ばれ、プラント内に複数設けられ、通信線路を介してフィールド機器管理装置に接続される（例えば、特許文献１参照）。
【０００３】
図７にプラントＡにおけるフィールド機器と機器管理システム（フィールド機器管理装置）との接続例を示す。同図において、１はプラントＡに設けられた機器管理システム（ＭＮＧ１）、２はプラントＡの流量プロセスに用いられるバルブ（調節弁）、３はバルブ２に付設されたポジショナ、４はコントローラ（ＣＮＴ１）であり、機器管理システム１（ＭＮＧ１）とコントローラ４との間は通信ライン（双方向の通信ライン）５で接続され、コントローラ４とポジショナ３との間は伝送路（２線の伝送路）６で接続されている。
【０００４】
なお、図７には、最も単純な例として、ポジショナ３−１が付設されたバルブ２−１（ポジショナ一体型バルブ）をフィールド機器７−１とし、ポジショナ３−２が付設されたバルブ２−２（ポジショナ一体型バルブ）をフィールド機器７−２とし、フィールド機器７−１とコントローラ４との間が伝送路６−１で接続され、フィールド機器７−２とコントローラ４との間が伝送路６−２で接続されている例を示している。
【０００５】
このシステムにおいて、ポジショナ３−１，３−２にはコントローラ４を介し、伝送路６−１，６−２を通して、４〜２０ｍＡの電流信号として開度設定信号が送られる。ポジショナ３−１，３−２は、この開度設定信号を空気圧信号に変換し、バルブ２−１，２−２の弁開度を制御する。
【０００６】
また、ポジショナ３−１，３−２は、バルブ２−１，２−２の正常異常の診断機能なども有し、検査結果などのデータをＨＡＲＴ（Highway Addressable Remote Transducer）通信によってコントローラ４へ送り、コントローラ４はそのデータを機器管理システム１（ＭＮＧ１）へ送る。
【０００７】
なお、ＨＡＲＴ通信とは、４〜２０ｍＡのアナログ信号にデジタル信号を重畳してデータを伝送する通信プロトコルである。通信プロトコルには、ＨＡＲＴ通信の他、フィールドバス通信などもある。
【０００８】
機器管理システム１（ＭＮＧ１）は、ポジショナ３−１，３−２からコントローラ４を介し、パラメータ情報、メンテナンス情報、保全情報、固体情報などを取得して、フィールド機器７−１，７−２を管理する。フィールド機器７−１，７−２の管理を行うために、機器管理システム１には、フィールド機器７の機器毎の通信に必要な定義情報を含むコンフィギュレーション情報が定められている。
【０００９】
図８に機器管理システム１（ＭＮＧ１）に定められているフィールド機器７の機器毎のコンフィギュレーション情報を例示する。図８において、１行目の情報はフィールド機器７−１のコンフィギュレーション情報を示し、２行目の情報はフィールド機器７−２のコンフィギュレーション情報を示す。
【００１０】
このコンフィギュレーション情報には、「通信プロトコル」、「デバイスパス」、「デバイスタグ」、「診断種類」、「状態監視」などの項目（コンフィギュレーション項目）がある。コンフィギュレーション項目において、「通信プロトコル」は、上述したＨＡＲＴ通信やフィールドバス通信などのフィールド機器７との間の通信プロトコルを示す定義情報であり、「デバイスパス」は、フィールド機器７までの通信経路を示す定義情報であり、「デバイスタグ」は、フィールド機器７に対して所定のルールに従って定められたタグ名称を示す定義情報であり、「診断種類」は、フィールド機器７に対して定められた診断の種類を示す定義情報であり、「状態監視」は、フィールド機器７に対する状態監視のＯＮ／ＯＦＦの状態を示す定義情報である。
【００１１】
この例において、フィールド機器７−１のコンフィギュレーション情報の「通信プロトコル」は「ＨＡＲＴ」、「デバイスパス」は「ＣＮＴ１−１」、「デバイスタグ」は「Device1」、「診断種類」は「Ｂ，Ｃ」、「状態監視」は「ＯＦＦ」とされている。フィールド機器７−２のコンフィギュレーション情報の「通信プロトコル」は「ＨＡＲＴ」、「デバイスパス」は「ＣＮＴ１−２」、「デバイスタグ」は「Device2」、「診断種類」は「Ｂ，Ｃ」、「状態監視」は「ＯＮ」とされている。
【００１２】
図９にプラントＡ，Ｂにおけるフィールド機器と機器管理システムとの接続例を示す。この例では、プラントＡの機器管理システム１−１（ＭＮＧ１）がコントローラ４−１（ＣＮＴ１）を介してフィールド機器７−１，７−２を管理し、プラントＢの機器管理システム１−２（ＭＮＧ２）がコントローラ４−２（ＣＮＴ２）を介してフィールド機器７−１，７−３，７−４を管理している。
【００１３】
この場合、プラントＡの機器管理システム１−１（ＭＮＧ１）には、図１０（ａ）に示すように、フィールド機器７−１，７−２のコンフィギュレーション情報が定められ、プラントＢの機器管理システム１−２（ＭＮＧ２）には、図１０（ｂ）に示すように、フィールド機器７−１，７−３，７−４のコンフィギュレーション情報が定められている。
【００１４】
なお、図１０（ａ）において、１行目の情報はフィールド機器７−１のコンフィギュレーション情報を示し、２行目の情報はフィールド機器７−２のコンフィギュレーション情報を示す。また、図１０（ｂ）において、１行目の情報はフィールド機器７−１のコンフィギュレーション情報を示し、２行目の情報はフィールド機器７−３のコンフィギュレーション情報を示し、３行目の情報はフィールド機器７−４のコンフィギュレーション情報を示す。
【先行技術文献】
【特許文献】
【００１５】
【特許文献１】特開２００９−２０５２４３号公報
【発明の概要】
【発明が解決しようとする課題】
【００１６】
図９に示した構成では、プラントＡに対して機器管理システム１−１（ＭＮＧ１）が設けられ、プラントＢに対して機器管理システム１−２（ＭＮＧ２）が設けられている。ここで、プラントＡの機器管理システム１−１（ＭＮＧ１）とプラントＢの機器管理システム１−２（ＭＮＧ２）とが別々に管理しているフィールド機器７を１つの機器管理システムで管理させたいという要望が生じたとする。
【００１７】
この場合、図１１に示すように、機器管理システム１−１（ＭＮＧ１）に定められているフィールド機器７−１，７−２のコンフィギュレーション情報と機器管理システム１−２（ＭＮＧ２）に定められているフィールド機器７−１，７−３，７−４のコンフィギュレーション情報とを足し合わせ、１つのコンフィギュレーション情報（統合コンフィギュレーション）とすることが考えられる。
【００１８】
しかしながら、機器管理システム１−１（ＭＮＧ１）に定められているフィールド機器７−１，７−２のコンフィギュレーション情報と機器管理システム１−２（ＭＮＧ２）に定められているフィールド機器７−１，７−３，７−４のコンフィギュレーション情報とを単純に足し合わせただけでは、図１１に斜線で示すように、フィールド機器７−１のコンフィギュレーション情報に重複が生じてしまう。
【００１９】
このため、機器管理システム１−１（ＭＮＧ１）に定められているフィールド機器７のコンフィギュレーション情報と機器管理システム１−２（ＭＮＧ２）に定められているフィールド機器７のコンフィギュレーション情報とを単純に足し合わせただけでは、機器管理システム１−１（ＭＮＧ１）と１−２（ＭＮＧ２）とが別々に管理しているフィールド機器７を１つの機器管理システムで管理させたいという要望に応えることができない。
【００２０】
本発明は、このような課題を解決するためになされたもので、その目的とするところは、重複を生じさせることなく、複数のフィールド機器管理装置に定められているフィールド機器のコンフィギュレーション情報を統合することが可能なフィールド機器管理装置を提供することにある。
【課題を解決するための手段】
【００２１】
このような目的を達成するために本発明は、第１〜第Ｎ（Ｎ≧２）のフィールド機器管理装置に定められているフィールド機器の機器毎の通信に必要な定義情報を含むコンフィギュレーション情報を統合するコンフィギュレーション情報統合手段を備えたフィールド機器管理装置であって、コンフィギュレーション情報統合手段は、コンフィギュレーション情報に含まれる所定のコンフィギュレーション項目の定義情報によってそのコンフィギュレーション情報が定められているフィールド機器を特定し、同じフィールド機器のコンフィギュレーション情報の重複を排除したうえで、第１〜第Ｎ（Ｎ≧２）のフィールド機器管理装置に定められているフィールド機器のコンフィギュレーション情報を統合することを特徴とする。
【００２２】
例えば、本発明では、コンフィギュレーション情報に含まれる通信プロトコル、デバイスパス、デバイスタグの定義情報によってそのコンフィギュレーション情報が定められているフィールド機器を特定し、この特定したフィールド機器のコンフィギュレーション情報の重複を排除して、第１〜第Ｎのフィールド機器管理装置に定められているフィールド機器のコンフィギュレーション情報を統合するようにする。
【００２３】
例えば、第１のフィールド機器管理装置に定められているフィールド機器のコンフィギュレーション情報を統合コンフィギュレーション情報とし、この統合コンフィギュレーション情報に、統合しようとする他のフィールド機器管理装置のコンフィギュレーション情報のうちその通信プロトコル、デバイスパス、デバイスタグの定義情報が一致しないコンフィギュレーション情報のみを追加するようにする。このようにすると、統合コンフィギュレーション情報に、通信プロトコル、デバイスパス、デバイスタグの定義情報が一致するコンフィギュレーション情報が追加されないものとなり、同じフィールド機器のコンフィギュレーション情報の重複が排除されるようになる。
【発明の効果】
【００２４】
本発明によれば、コンフィギュレーション情報に含まれる所定のコンフィギュレーション項目の定義情報によってそのコンフィギュレーション情報が定められているフィールド機器を特定し、同じフィールド機器のコンフィギュレーション情報の重複を排除したうえで、第１〜第Ｎのフィールド機器管理装置に定められているフィールド機器のコンフィギュレーション情報を統合するようにしたので、重複を生じさせることなく、複数のフィールド機器管理装置に定められているフィールド機器のコンフィギュレーション情報を統合することが可能となる。
【図面の簡単な説明】
【００２５】
【図１】本発明に係るフィールド機器管理装置の一実施の形態（統合機器管理システム）を用いたシステムの構成を示す図である。
【図２】統合機器管理システムが有するコンフィギュレーション情報統合機能を説明するためのフローチャートである。
【図３】統合機器管理システムで行われるコンフィギュレーション情報の統合処理の処理過程を説明する図である。
【図４】統合機器管理システムで行われるコンフィギュレーション情報の統合処理の処理過程を説明する図である。
【図５】機器管理システムのコンフィギュレーション情報とデータとが「通信プロトコル」、「デバイスパス」、「デバイスタグ」により紐付いていることを示す図である。
【図６】統合機器管理システムの機能ブロック図である。
【図７】プラントＡにおけるフィールド機器と機器管理システムとの接続例を示す図である。
【図８】プラントＡの機器管理システムに定められているフィールド機器の機器毎のコンフィギュレーション情報を例示する図である。
【図９】プラントＡ，Ｂにおけるフィールド機器と機器管理システムとの接続例を示す図である。
【図１０】プラントＡの機器管理システムに定められているフィールド機器の機器毎のコンフィギュレーション情報およびプラントＢの機器管理システムに定められているフィールド機器の機器毎のコンフィギュレーション情報を例示する図である
【図１１】プラントＡ，Ｂの機器管理システムに定められているフィールド機器のコンフィギュレーション情報を単純に足し合わせて得られる１つのコンフィギュレーション情報（統合コンフィギュレーション）を示す図である。
【発明を実施するための形態】
【００２６】
以下、本発明を図面に基づいて詳細に説明する。図１は本発明に係るフィールド機器管理装置の一実施の形態を用いたシステムの構成を示す図である。同図において、図９と同一符号は図９を参照して説明した構成要素と同一或いは同等の構成要素を示し、その説明は省略する。
【００２７】
図９において、プラントＡの機器管理システム１−１（ＭＮＧ１）とプラントＢの機器管理システム１−２（ＭＮＧ２）とが別々に管理しているフィールド機器７を１つの機器管理システムで管理させたい場合、図１に示すように、機器管理システム１−１（ＭＮＧ１）と機器管理システム１−２（ＭＮＧ２）との通信ライン５に本実施の形態の機器管理システム１００（ＭＮＧ）を接続する。
【００２８】
以下、機器管理システム１−１（ＭＮＧ１），１−２（ＭＮＧ２）と区別するために、本実施の形態の機器管理システム１００（ＭＮＧ）を統合機器管理システムと呼ぶ。
【００２９】
統合機器管理システム１００（ＭＮＧ）は、プロセッサや記憶装置からなるハードウェアと、これらのハードウェアと協働して各種機能を実現させるプログラムとによって実現され、本実施の形態特有の機能としてコンフィギュレーション情報統合機能を有している。以下、図２に示すフローチャートに従って、統合機器管理システム１００（ＭＮＧ）が有するコンフィギュレーション情報統合機能について説明する。
【００３０】
なお、図１において、機器管理システム１−１（ＭＮＧ１）には、図１０（ａ）に示したフィールド機器７−１，７−２のコンフィギュレーション情報が定められており、機器管理システム１−２（ＭＮＧ２）には、図１０（ｂ）に示したフィールド機器７−１，７−３，７−４のコンフィギュレーション情報が定められているものとする。
【００３１】
統合機器管理システム１００（ＭＮＧ）は、コンフィギュレーション情報の統合が指示されると（ステップＳ１０１のＹＥＳ）、機器管理システム１−１（ＭＮＧ１）に定められているフィールド機器７−１，７−２のコンフィギュレーション情報を読み込み（ステップＳ１０２）、この読み込んだ機器管理システム１−１（ＭＮＧ１）のコンフィギュレーション情報をコピーして最初の統合コンフィギュレーション情報とする（ステップＳ１０３、図３（ａ））。
【００３２】
次に、統合機器管理システム１００（ＭＮＧ）は、機器管理システム１−２（ＭＮＧ２）に定められているフィールド機器７−１，７−３，７−４のコンフィギュレーション情報を読み込み（ステップＳ１０４）、この読み込んだ機器管理システム１−２（ＭＮＧ２）のコンフィギュレーション情報から１行目のコンフィギュレーション情報を読み出す（ステップＳ１０５）。すなわち、フィールド機器７−１のコンフィギュレーション情報を読み出す（図３（ｂ））。
【００３３】
そして、統合機器管理システム１００（ＭＮＧ）は、統合コンフィギュレーション情報（図３（ａ））を検索し（ステップＳ１０６）、この統合コンフィギュレーション情報中にその「通信プロトコル」、「デバイスパス」、「デバイスタグ」の定義情報がステップＳ１０５で読み出したコンフィギュレーション情報の「通信プロトコル」、「デバイスパス」、「デバイスタグ」の定義情報と一致するコンフィギュレーション情報があるか否かをチェックする（ステップＳ１０７）。
【００３４】
ここで、一致するコンフィギュレーション情報がなければ（ステップＳ１０７のＮＯ）、ステップＳ１０５で読み出したコンフィギュレーション情報を統合コンフィギュレーション情報に追加する（ステップＳ１０８）。そして、機器管理システム１−２（ＭＮＧ２）のコンフィギュレーション情報の全ての行を読み出したか否かを確認し（ステップＳ１０９）、全ての行を読み出していなければ（ステップＳ１０９のＮＯ）、ステップＳ１０５へ戻る。
【００３５】
一致するコンフィギュレーション情報があれば（ステップＳ１０７のＹＥＳ）、ステップＳ１０８は実行しない。すなわち、ステップＳ１０５で読み出したコンフィギュレーション情報の統合コンフィギュレーション情報への追加は行わない。そして、機器管理システム１−２（ＭＮＧ２）のコンフィギュレーション情報の全ての行を読み出したか否かを確認し（ステップＳ１０９）、全ての行を読み出していなければ（ステップＳ１０９のＮＯ）、ステップＳ１０５へ戻る。
【００３６】
この場合、ステップＳ１０５で読み出した１行目のコンフィギュレーション情報はフィールド機器７−１のコンフィギュレーション情報であり（図３（ｂ））、統合コンフィギュレーション情報（図３（ａ））中にその「通信プロトコル」、「デバイスパス」、「デバイスタグ」の定義情報と一致するコンフィギュレーション情報があるので、すなわちフィールド機器７−１のコンフィギュレーション情報が統合コンフィギュレーション情報中に既に存在するので、その読み出したコンフィギュレーション情報の統合コンフィギュレーション情報への追加は行わず（図３（ｃ））、ステップＳ１０９を経て、ステップＳ１０５へ戻る。
【００３７】
この処理は、機器管理システム１−１（ＭＮＧ１）に定められているフィールド機器７（７−１，７−２）のコンフィギュレーション情報において、そのコンフィギュレーション情報に含まれる「通信プロトコル」、「デバイスパス」、「デバイスタグ」の定義情報によってそのコンフィギュレーション情報が定められているフィールド機器７（７−１，７−２）を特定し、統合コンフィギュレーション情報の作成に際し、同じフィールド機器７（７−１）のコンフィギュレーション情報の重複を排除していることに相当する。
【００３８】
統合機器管理システム１００（ＭＮＧ）は、ステップＳ１０５へ戻ると、ステップＳ１０４で読み込んだ機器管理システム１−２（ＭＮＧ２）のコンフィギュレーション情報から２行目のコンフィギュレーション情報を読み出す。すなわち、フィールド機器７−３のコンフィギュレーション情報を読み出す（図４（ａ））。
【００３９】
この場合、統合コンフィギュレーション情報（図３（ｃ））中には、読み出したフィールド機器７−３のコンフィギュレーション情報の「通信プロトコル」、「デバイスパス」、「デバイスタグ」の定義情報と一致するコンフィギュレーション情報がないので（ステップＳ１０７のＮＯ）、その読み出したコンフィギュレーション情報を統合コンフィギュレーション情報へ追加する（図４（ｂ））。この場合、「通信プロトコル」と「デバイスタグ」が同じものがあるが、「デバイスパス」が異なるので追加する。そして、ステップＳ１０９を経て、ステップＳ１０５へ戻る。
【００４０】
統合機器管理システム１００（ＭＮＧ）は、ステップＳ１０５へ戻ると、ステップＳ１０４で読み込んだ機器管理システム１−２（ＭＮＧ２）のコンフィギュレーション情報から３行目のコンフィギュレーション情報を読み出す（ステップＳ１０５）。すなわち、フィールド機器７−４のコンフィギュレーション情報を読み出す（図４（ｃ））。
【００４１】
この場合、統合コンフィギュレーション情報（図４（ｂ））中には、読み出したフィールド機器７−４のコンフィギュレーション情報の「通信プロトコル」、「デバイスパス」、「デバイスタグ」の定義情報と一致するコンフィギュレーション情報がないので（ステップＳ１０７のＮＯ）、その読み出したコンフィギュレーション情報を統合コンフィギュレーション情報へ追加する（図４（ｄ））。この場合、「通信プロトコル」が同じものがあるが、「デバイスパス」、「デバイスタグ」が異なるので追加する。
【００４２】
そして、統合機器管理システム１００（ＭＮＧ）は、機器管理システム１−２（ＭＮＧ２）のコンフィギュレーション情報の全ての行からの読み出しを終えたことを確認し（ステップＳ１０９のＹＥＳ）、一連のコンフィギュレーションの統合処理を終了する。
【００４３】
このようにして、本実施の形態では、統合機器管理システム１００（ＭＮＧ）において、先ず最初に、機器管理システム１−１（ＭＮＧ１）に定められているフィールド機器７（７−１，７−２）のコンフィギュレーション情報が統合コンフィギュレーション情報とされ、この統合コンフィギュレーション情報に、統合しようとする機器管理システム１−２（ＭＮＧ２）に定められているフィールド機器７（７−１，７−３，７−４）のコンフィギュレーション情報のうち、通信プロトコル、デバイスパス、デバイスタグの定義情報が一致しないフィールド機器７（７−３，７−４）のコンフィギュレーション情報のみが追加されるものとなり、すなわち通信プロトコル、デバイスパス、デバイスタグの定義情報が一致するフィールド機器７（７−１）のコンフィギュレーション情報が追加されないものとなり、同じフィールド機器７（７−１）のコンフィギュレーション情報の重複が排除されるようになる。
【００４４】
これにより、重複を生じさせることなく、機器管理システム１−１（ＭＮＧ１）に定められているフィールド機器７のコンフィギュレーション情報と機器管理システム１−２（ＭＮＧ２）に定められているフィールド機器７のコンフィギュレーション情報とを統合し、機器管理システム１−１（ＭＮＧ１）と機器管理システム１−２（ＭＮＧ２）とで別々に管理されていたフィールド機器７を統合機器管理システム（ＭＮＧ）１００で管理させるようにすることができるようになる。
【００４５】
なお、上述した実施の形態では、統合機器管理システム１００（ＭＮＧ）において、機器管理システム１−１（ＭＮＧ１），１−２（ＭＮＧ２）に定められているフィールド機器７のコンフィギュレーション情報だけを統合するようにしたが、このコンフィギュレーション情報の統合と合わせて過去に収集されたフィールド機器７のデータも統合するようにしてもよい。
【００４６】
図５に機器管理システム１−１（ＭＮＧ１）に定められているフィールド機器７のコンフィギュレーション情報とデータとの関係を示す。機器管理システム１−１（ＭＮＧ１）では、「通信プロトコル」、「デバイスパス」、「デバイスタグ」により、フィールド機器７のコンフィギュレーション情報（図５（ａ））だけではなく、検査結果などのデータ（図５（ｂ））も紐付いている。機器管理システム１−２（ＭＮＧ２）でも同様である。したがって、「通信プロトコル」、「デバイスパス」、「デバイスタグ」を利用すれば、コンフィギュレーション情報の統合と合わせて、過去に収集されたフィールド機器７のデータも統合することができる。
【００４７】
また、上述した実施の形態では、最も単純な例として、機器管理システム１−１（ＭＮＧ１）と１−２（ＭＮＧ２）に定められているフィールド機器７のコンフィギュレーション情報を統合する例で説明したが、統合対象となる機器管理システム１の数は２つに限られるものではない。すなわち、機器管理システム１の個数をＮとした場合、Ｎ≧２の機器機管理システム１に対し、上述と同様にして、その機器管理システム１に定められているフィールド機器７のコンフィギュレーション情報を統合することが可能である。
【００４８】
本実施の形態の統合機器管理システム１００（ＭＮＧ）を用い、複数の機器管理システム１が管理しているフィールド機器７のコンフィギュレーション情報を統合することにより、プラントが大規模なためいくつかの単位に区切って順次立ち上げを実施して行くような場合に、最初に分割して管理しておいて、すべてが立ち上がった時に統合管理することで、立ち上げ工程の期間や順序に柔軟性を持たせることが可能となる。また、立地の異なる工場単位で順次導入後、後に統合管理するような場合にも利用可能である。また、将来大規模化することも配慮したうえで、小さい単位で容易に機器管理システム１を利用開始することができるという利点もある。
【００４９】
また、本実施の形態の統合機器管理システム１００を用いれば、複数の機器管理システム１が管理しているフィールド機器７のコンフィギュレーション情報をすべてオフラインの操作で統合することができるので、必ずしもフィールド機器７と通信が可能な状態でなくても統合の作業が可能となる。
【００５０】
また、上述した実施の形態では、ポジショナ一体型のバルブをフィールド機器としたが、フィールド機器はこのようなポジショナ一体型のバルブに限られるものではない。例えば、発信器（流量センサ、圧力センサ、温度センサなどのセンサ）をフィールド機器としたり、ポジショナ３単体をフィールド機器としたりしてもよい。
【００５１】
また、上述した実施の形態では、機器管理システム１−１（ＭＮＧ１）のコンフィギュレーション情報をコピーして最初の統合コンフィギュレーション情報としたが、機器管理システム１−２（ＭＮＧ２）のコンフィギュレーション情報をコピーして最初の統合コンフィギュレーション情報とするようにしてもよい。この場合、機器管理システム１−２（ＭＮＧ２）が本発明でいう第１のフィールド機器管理装置となる。
【００５２】
また、機器管理システム１−１（ＭＮＧ１）に定められているフィールド機器７（７−１，７−２）のコンフィギュレーション情報において、そのコンフィギュレーション情報に含まれる「通信プロトコル」、「デバイスパス」、「デバイスタグ」の定義情報によってそのコンフィギュレーション情報が定められているフィールド機器７（７−１，７−２）を特定し、機器管理システム１−２（ＭＮＧ２）に定められているフィールド機器７（７−１，７−３，７−４）のコンフィギュレーション情報において、そのコンフィギュレーション情報に含まれる「通信プロトコル」、「デバイスパス」、「デバイスタグ」の定義情報によってそのコンフィギュレーション情報が定められているフィールド機器７（７−１，７−３，７−４）を特定し、機器管理システム１−１（ＭＮＧ１）に定められているフィールド機器７（７−１，７−２）のコンフィギュレーション情報と機器管理システム１−２（ＭＮＧ２）に定められているフィールド機器７（７−１，７−３，７−４）のコンフィギュレーション情報との統合に際し、同じフィールド機器７（７−１）のコンフィギュレーション情報の重複を排除するようにしてもよい。
【００５３】
図６に統合機器管理システム（ＭＮＧ）１００の機能ブロック図を示す。統合機器管理システム（ＭＮＧ）１００は、機器管理システム１−１（ＭＮＧ１），１−２（ＭＮＧ２）に定められているフィールド機器７の機器毎のコンフィギュレーション情報を統合するコンフィギュレーション情報統合部１００Ａを備えている。
【００５４】
コンフィギュレーション情報統合部１００Ａは、機器管理システム１−１（ＭＮＧ１）に定められているフィールド機器７（７−１，７−２）のコンフィギュレーション情報を読み込み、また機器管理システム１−２（ＭＮＧ２）に定められているフィールド機器７（７−１，７−３，７−４）のコンフィギュレーション情報を読み込み、コンフィギュレーション情報に含まれる通信プロトコル、デバイスパス、デバイスタグの定義情報によってそのコンフィギュレーション情報が定義されているフィールド機器７を特定し、同じフィールド機器７（７−１）のコンフィギュレーション情報の重複を排除したうえで、機器管理システム１−１（ＭＮＧ１），１−２（ＭＮＧ２）に定められているフィールド機器７のコンフィギュレーション情報を統合する。
【００５５】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００５６】
１（１−１（ＭＮＧ１），１−２（ＭＮＧ２））…機器管理システム、２（２−１，２−２）…バルブ、３（３−１，３−２）…ポジショナ、４（４−１（ＣＮＴ１），４−２（ＣＮＴ２））…コントローラ、５…通信ライン、６…伝送路、７（７−１〜７−４）…フィールド機器、１００（ＭＮＧ）…機器管理システム（統合機器管理システム）、１００Ａ…コンフィギュレーション情報統合部。
【図１】
2014137794.tif 000003
【図２】
2014137794.tif 000004
【図３】
2014137794.tif 000005
【図４】
2014137794.tif 000006
【図５】
2014137794.tif 000007
【図６】
2014137794.tif 000008
【図７】
2014137794.tif 000009
【図８】
2014137794.tif 000010
【図９】
2014137794.tif 000011
【図１０】
2014137794.tif 000012
【図１１】
2014137794.tif 000013